(57)【要約】【課題】見栄えが良くて、前掛け眼鏡と既着眼鏡に取付けたときに、容易に外れたり両眼鏡の相対位置がずれてしまわない取り外し可能眼鏡を提供する。【解決手段】一対の補助レンズ１・１と、該一対の補助レンズ１・１を左右対称に連結する前掛けブリッジ２と、該前掛けブリッジ２の後部若しくは上部若しくは下部に固設される筒体３と、該筒体３内に内包されるバネ４の両端に取付けられて筒体内を摺動する２本の係止ピン５・５と、からなる前掛け眼鏡１２と、一対の視力矯正レンズ６・６と、該矯正レンズ６・６を各々保持するリム７・７と、該リム７・７を左右対称に連結し、前部に該係止ピン５・５を嵌合させるための穴部８ｂ・８ｂを設けた既着ブリッジ８と、からなる既着眼鏡１１と、を具備させる。【選択図】図９
2005128136.tif 000002
【特許請求の範囲】
【請求項１】
既着眼鏡１１の前面に前掛け眼鏡１２を着脱可能とする眼鏡１０において、
一対の視力矯正レンズ６・６を各々保持するリム７・７を左右対称に連結する既着ブリッジ８の前部両側に突起部８ａ・８ａを形成し、該突起部８ａ・８ａの左右対向する部分に穴部８ｂ・８ｂを設けるとともに、一対の補助レンズ１・１を左右対称に連結する前掛けブリッジ２の後部若しくは上部若しくは下部に、係止ピン５・５を左右両側に突出するように付勢し、該係止ピン５・５を摺動自在に支持する筒体３を設けたことを特徴とする眼鏡。
【発明の詳細な説明】
【技術分野】
【０００１】
本発明は、眼鏡に装着する付加レンズの簡易脱着機構に関し、さらに詳しくは、常用の眼鏡に近接作業に必要な短焦点の凸レンズを簡易迅速に装着できる、あるいは、紫外線や赤外線などの有害光線を吸収して視力保護機能を増強できる調光レンズを装着できる付加レンズの着脱機構に関するものである。
【背景技術】
【０００２】
従来、視力矯正用の既着眼鏡に遮光機能や偏光機能等の調光機能を付加しようとする場合には、眼鏡の視力矯正レンズを色付の視力矯正レンズに取り替える方法の他、前掛け眼鏡と言って既着眼鏡のフロント部の前面にクリップ手段によって補助眼鏡を賭け止めする形式のものがあった。
【０００３】
しかしながら、従来のクリップ式前掛け眼鏡は、クリップ手段による着脱操作に手間が掛かり、また、クリップは直接レンズに止めるため、この着脱操作を繰り返しているうちに、クリップが既着眼鏡のレンズを傷付ける虞れがあった。また、クリップ手段は指の操作で着脱するために、クリップ手段は指で操作できる大きさが必要であり、目と目の間にはどうしてもクリップ手段が位置し視界を妨げる部分が生じていた。そこで、上記問題点を解決するために、磁力及び凹凸嵌合関係を利用することによって既着眼鏡の前面に前掛け眼鏡を取付ける技術等も、公知のものとなっている（例えば、特許文献１参照。）。
【０００４】
【特許文献１】登録実用新案第３０６１２０３号公報
【発明の開示】
【発明が解決しようとする課題】
【０００５】
しかし、磁石を利用して既着眼鏡の前面に前掛け眼鏡を取付けたものであっても、磁石を利用したことによる特有の弊害が生じてしまう。
まず一つ目の弊害は、埃が磁着部に付着したりして、磁石による取付け力が低下してしまうことである。また、埃が付着しなくても、かばん等に磁力の強い物等と一緒に収納しているうちに、時間の経過とともに、持着部の磁石の磁力が低下していくこともある。要するに、前掛け眼鏡を取付ける力が弱まり直ぐに脱落してしまい普通の眼鏡と同じ用途にしか使用できなくなる可能性が生じる。
【０００６】
また、二つ目の弊害は、前記眼鏡に設ける磁石が周囲に及ぼす影響が無視できないことである。前掛け眼鏡を既着眼鏡に取付けたときに、容易に外れたり両眼鏡の相対位置がずれてしまわないように、小さくても非常に強力な磁性体を、前掛け眼鏡と既着眼鏡の少なくとも一方に配設しなければならない。
このため、この強力な磁性体を装備する前掛け眼鏡若しくは既着眼鏡は、周囲の様々なものに絶えず磁力を与え続ける。その結果、カセットテープや、クレジットカード等のカード類、時計、携帯電話等、を前記眼鏡と一緒に机の上やかばんの中等に置いておくと、磁気記録部分が壊れてしまうことがある。
【０００７】
そして、三つ目の弊害は、容易に外れたり両眼鏡の相対位置がずれないようにするために磁石を強力なものにすればするほど、着脱するときに大きな力を加えなければならない。このことは、両眼鏡を固定するために作用させる力の方向と、両眼鏡を取りはずしを行う方向が同じだからである。また、あまり強力な磁石を使用すると、身体に悪影響を与えることがあり、めまい等の原因となることもある。また、磁石に磁着させる他方は鉄またはニッケルであるため、眼鏡フレームの材質が限られてしまうのである。
【課題を解決するための手段】
【０００８】
本発明の解決しようとする課題は以上の如くであり、次にこの課題を解決するための手段を説明する。
【０００９】
即ち、請求項１においては、既着眼鏡１１の前面に前掛け眼鏡１２を着脱可能とする眼鏡１０において、
一対の視力矯正レンズ６・６を各々保持するリム７・７を左右対称に連結する既着ブリッジ８の前部両側に突起部８ａ・８ａを形成し、該突起部８ａ・８ａの左右対向する部分に穴部８ｂ・８ｂを設けるとともに、一対の補助レンズ１・１を左右対称に連結する前掛けブリッジ２の後部若しくは上部若しくは下部に、係止ピン５・５を左右両側に突出するように付勢し、該係止ピン５・５を摺動自在に支持する筒体３を設けたものである。
【発明の効果】
【００１０】
本発明の効果として、以下に示すような効果を奏する。
【００１１】
請求項１においては、両眼鏡を固定するために作用させる力の方向（左右方向）と、両眼鏡の取りはずしを行う方向（前後方向及び上下方向））が異なるため、小さな力で着脱させることができるにも係らず、取り外しを行う方向に働く力に対する抗力は大きくすることが可能となる。
また、前掛け眼鏡と既着眼鏡の連結部が正面から見えないようにできるため、従来の取り外し可能眼鏡と比べて本発明の取り外し可能眼鏡は、見栄えがよいものとなる。
【発明を実施するための最良の形態】
【００１２】
次に、発明の実施の形態を説明する。
図１は本発明の一実施例に係る取り外し可能眼鏡１０の全体的な構成を示した斜視図であり、図２は前掛け眼鏡１２のブリッジ２周辺を示す平面図であり、図３は同じく後面図であり、図４は筒体３及び係止ピン５・５を示す平面図であり、図５は既着眼鏡１１のブリッジ８周辺を示す平面図であり、図６は同じく正面図であり、図７は前掛け眼鏡１２の既着眼鏡１１への取付け開始の状態を示す平面図であり、図８は同じく取付け中の状態を示す図であり、図９は同じく取付け終了の状態を示す図であり、図１０は同じく取り外し開始の状態を示す平面図であり、図１１は同じく取り外し中の状態を示す図、図１２は前掛け眼鏡１２を既着眼鏡１１へ取り付ける他の実施例を示す平面図である。
【００１３】
まず、図１を参照しながら、本発明の取り外し可能眼鏡１０の全体構造について説明する。
図１に示すように、取り外し可能眼鏡１０は視力矯正用の既着眼鏡１１と、該視力矯正用の既着眼鏡１１の前面に着脱自在に配置する本発明に係る前掛け眼鏡１２とから構成されている。
【００１４】
本実施形態の既着眼鏡１１は、一対の視力矯正用レンズ６・６を各々抱持するリム７・７と、これらリム７・７を左右対称に連結するブリッジ８と、該リム７・７の外側に設けられたテンプルと、同じくリム７・７の対向内側に各々設けられた鼻当てパッド（図示せず）とから構成されている。
【００１５】
前記テンプルはリム７・７の外側にエンドピース１３・１３を一体的に固定し、該エンドピース１３・１３の端部にはヒンジ９・９を介してつる部１４・１４の一端が回動可能に連結され、該鶴部１４・１４の他端に耳掛け部１６・１６が形成されている。このような構成で、眼鏡を外したときには、つる部１４・１４を内側に折り畳むことができ、使用時にはヒンジ部９を回動中心として、つる部１４・１４を外側（後側）に回動し、つる部１４・１４の後端部に形成された耳掛け部１６・１６を使用者の耳に引っ掛けることにより使用する。そして、同時に鼻当てパッドを鼻に、当接して安定を図るものである。
【００１６】
以下、本実施例では、紫外線吸収を目的とする偏光機能を有した色付のプラスチック製レンズ１・１を具備した前掛け眼鏡１２について説明する。但し、レンズは紫外線吸収を目的とするレンズに限定するものではなく、読書や手元で細かい作業をする等の近接作業に必要な短焦点の凸レンズ等を用いても便利である。
【００１７】
図１に示すように、前掛け眼鏡１２は左右一対の補助レンズ１・１をブリッジ２にて、連結して構成されており、既着眼鏡１１とは異なりリムを必要としない。しかし、補助レンズ１・１同士の連結力及び補助レンズ１・１各々の耐久力向上のために、リムにより抱持しても良い。
【００１８】
次に、前掛け眼鏡１２と既着眼鏡１１の連結構造について説明する。
図１に示すように、前掛け眼鏡１２はブリッジ２後方で、既着眼鏡１１のブリッジ８の前部と連結され支持される構成となっている。
【００１９】
まず、図２、３を参照しながら、前掛け眼鏡１２側から先に説明する。
図２に示すように、前掛け眼鏡１２はブリッジ２の両端において、補助レンズ１・１を連結し支持しており、支持強度を高めるためにそれぞれの固定部は２箇所ネジ等で支持する構成としている。ブリッジ２の左右中央部にはブリッジ支持部１７が固定されており、該ブリッジ支持部１７の後端部に筒体３がブリッジ２と略平行に固定されている。
【００２０】
図４に示すように、筒体３は内部に左右方向にバネ４が内挿されており、該バネ４の両端に係止ピン５・５が配置されて、筒体３より両側に係止ピン５・５の先端が突出されている。なお、係止ピン５の基部側（バネ４側）には縁部が形成されて筒体３内に摺動自在に収納され、バネ４の付勢力により係止ピン５・５の先端を筒体３の両側の孔より突出しているが、前記縁部が筒体３の両側の孔外周に当接して、筒体３より飛び出さないように構成している。ここで、バネ４は常に伸びる方向に力を与えており、自然長よりも短い状態で内包されているものとする。
そして、図３に示すように、筒体３は前記ブリッジ２よりも小さく構成して、ブリッジ２と筒体３の左右中心と長手方向を合わせて、ブリッジ２の後方に筒体３を平行に配置して、正面視でブリッジ２と筒体３が重複するように配置している。つまり、正面視では（眼鏡の前方から前掛け眼鏡１２を見た場合）筒体３及び係止ピン５・５がブリッジ２に隠れて見えない構成となっている。
このように、前掛け眼鏡１２と既着眼鏡１１の連結部が正面から見えないようにできるため、従来の取り外し可能眼鏡と比べて本発明の取り外し可能眼鏡１０は、見栄えがよいものとなる。
【００２１】
次に図５、図６を参照しながら、筒体３を装着する既着眼鏡１１側について説明する。
図５に示すように、既着眼鏡１１のブリッジ８は、リム７・７間に溶着固定されており、視力矯正レンズ６・６のみを既着眼鏡１１から交換できるようになっている。ブリッジ８の前面両側には、突起部８ａ・８ａが前方に向かって突出されている。
【００２２】
そして、両突起部８ａ・８ａの対向内側には穴部８ｂ・８ｂが左右方向に形成されており、前述の係止ピン５・５の先端が挿入できるようになっている。該係止ピン５は段付の円柱状に構成され、穴部８ｂは該係止ピン５を嵌挿できる大きさ、及び形状の円筒状の穴に形成している。但し、図１２に示すように、係止ピン５は段付の角柱状に構成して、先端を楔状に平面視三角形状に削った構成とし、穴部はこの楔状の係止ピン５先端の形状に合わせた穴部８ｃとして構成することもできる。
ここで、図６に示すように、正面視では（眼鏡の前方から前掛け眼鏡１２を見た場合）筒体３及び係止ピン５・５がブリッジ２に隠れて見えない構成となっている。
このように、前掛け眼鏡１２と既着眼鏡１１の連結部が正面から見えないようにできるため、従来の取り外し可能眼鏡と比べて本発明の取り外し可能眼鏡１０は、見栄えがよいものとなる。
【００２３】
以下、前掛け眼鏡１２を既着眼鏡１１に取付ける手順について、図７乃至図９を参照しながら説明する。
【００２４】
取付ける場合について説明する。
まず、一方の手で既着眼鏡１１を保持しながら、前掛け眼鏡１２のブリッジ２を挟持して、係止ピン５・５の一方を穴部８ｂの一方に挿入する（図７参照）。前記係止ピン５ａを前記穴部８ｂに挿入して、前掛け眼鏡１２に対し挿入方向Ｘに力を加えた状態のままで、もう一方の係止ピン５ｂをもう一方の穴部８ｂに合わせる（図８参照）。係止ピン５ｂを穴部８ｂに合わせている間は、前掛け眼鏡１２に対し挿入方向Ｘに力を加えたままなので、係止ピン５ａ側が筒体３に対して押し込まれた状態になっている。また、図８に示すように、係止ピン５ｂが突起部８ａに重なると前掛け眼鏡１２の挿入方向Ｘへの付勢力は必要でなくなる。
【００２５】
そして、図９に示すように、係止ピン５ｂが穴部８ｂに嵌合すると、バネ４に付勢されている係止ピン５ａが筒体３から押し出されて、係止ピン５・５及び筒体３を合わせた長さが突起部８ａ・８ａ間の長さより長くなり、係止ピン５・５及び筒体３がブリッジ８から外れなくなる。その結果、前掛け眼鏡１２が既着眼鏡１１に取り付けられるのである。なお、この状態において、補助レンズ１・１の周囲の一部がリム７・７または視力矯正レンズ６・６の外周に当接して安定した状態となっている。
また、取付ける際に補助レンズ１が視力矯正レンズ６に接触する場合は、筒体３を既着ブリッジ８に対して、前後方向（図７乃至図９参照）ではなく、上下方向（図７において、紙面と垂直方向）に傾けて取付けを行っても良い。
また、図１２に示す実施例の場合にも、前記と同様の取り付け操作で取り付けることが可能であるが、嵌合する係止ピン５の先端と穴部８ｃの形状が、断面視において三角形状（多角形状であってもよい）に構成しているため、係止ピン５と穴部８ｃの間で回転することができなくなるので、ガタつきがなくなり、装着時の安定性を増すことができるのである。また、係止ピン５の先端が傾斜しているため、装着時に傾斜部分がブリッジ８の外周に当接して滑りながら穴部８ｃ内に入ることになり、平行の状態のまま押し込むだけでスムースに装着することができ、着脱の操作性を向上することができる。
【００２６】
次に前掛け眼鏡１２を既着眼鏡１１から取り外す場合について説明する。
一方の手で、既着眼鏡１１を保持し、もう一方の手で前掛け眼鏡１２のブリッジ８を挟持して、係止ピン５・５のどちらかの長手方向（図１０のＹ方向）に力を加える。そして、図１０に示すように、バネ４の付勢力に抗して、係止ピン５ｃを押し込む。すると、図１１のように、力を加えられた方の係止ピン５ｃが筒体３に押し込まれると、もう一方の係止ピン５ｄを穴部８ｂから抜き出すことが出来て、その結果係止ピン５・５及び筒体３をブリッジ８から取り外すことができる。
また、取外す際に補助レンズ１が視力矯正レンズ６に接触する場合は、筒体３を既着ブリッジ８に対して、前後方向（図１０乃至図１１参照）ではなく、上下方向（図１１において、紙面と垂直方向）に傾けて取付けを行っても良い。
【００２７】
このように、一対の視力矯正レンズ６・６を各々保持するリム７・７を左右対称に連結する既着ブリッジ８の前部両側に突起部８ａ・８ａを形成し、該突起部８ａ・８ａの左右対向する部分に穴部８ｂ・８ｂを設けるとともに、一対の補助レンズ１・１を左右対称に連結する前掛けブリッジ２の後部若しくは上部若しくは下部に、係止ピン５・５を左右両側に突出するように付勢し、該係止ピン５・５を摺動自在に支持する筒体３を設けたので、
両眼鏡１１・１２を固定するために作用させる力の方向（左右方向）と、両眼鏡１１・１２の取りはずしを行う方向（前後方向及び上下方向））が異なるため、小さな力で着脱させることができるにも係らず、取り外しを行う方向に働く力に対する抗力は大きくすることが可能となる。
【図面の簡単な説明】
【００２８】
【図１】本発明の一実施例に係る取り外し可能眼鏡１０の全体的な構成を示した斜視図。
【図２】前掛け眼鏡１２のブリッジ２周辺を示す平面図。
【図３】同じく後面図。
【図４】筒体３及び係止ピン５・５を示す平面図。
【図５】既着眼鏡１１のブリッジ８周辺を示す平面図。
【図６】同じく正面図。
【図７】前掛け眼鏡１２の既着眼鏡１１への取付け開始の状態を示す平面図。
【図８】同じく取付け中の状態を示す図。
【図９】同じく取付け終了の状態を示す図。
【図１０】同じく取り外し開始の状態を示す平面図。
【図１１】同じく取り外し中の状態を示す図。
【図１２】前掛け眼鏡１２を既着眼鏡１１へ取り付ける他の実施例を示す平面図。
【符号の説明】
【００２９】
１    補助レンズ
２    前掛けブリッジ
３    筒体
４    バネ
５    係止ピン
６    視力矯正レンズ
７    リム
８    既着ブリッジ
８ａ    突起部
８ｂ    穴部
１０    取り外し可能眼鏡
１１    前掛け眼鏡
１２    既着眼鏡
【図１】
2005128136.tif 000003
【図２】
2005128136.tif 000004
【図３】
2005128136.tif 000005
【図４】
2005128136.tif 000006
【図５】
2005128136.tif 000007
【図６】
2005128136.tif 000008
【図７】
2005128136.tif 000009
【図８】
2005128136.tif 000010
【図９】
2005128136.tif 000011
【図１０】
2005128136.tif 000012
【図１１】
2005128136.tif 000013
【図１２】
2005128136.tif 000014